(57)【要約】【課題】折り曲げや折り畳みが可能であり、かつ、情報を印刷する。【解決手段】音声情報を記録、再生可能な音声情報記録／再生部３０をシート状に構成し、かつ、音声情報記録／再生部３０を表裏から挟み込んで互いに接着された２枚の支持シート２０ａ，２０ｂを、音声情報記録／再生部３０に対向する領域については、その一部の領域のみにて音声情報記録／再生部３０を表裏から挟み込む構成とする。【選択図】図２
2005099704.tif 000002
【特許請求の範囲】
【請求項１】
音声情報を記録、再生可能な音声情報記録／再生手段が２枚の表面シート間に組み込まれてなる音声メッセージ伝達シートであって、
前記音声情報記録／再生手段はシート状に構成され、
前記音声情報記録／再生手段を表裏から挟み込んで互いに接着された２枚の支持シートを有し、
前記２枚の表面シートは、前記音声情報記録／再生手段を挟み込んで接着された前記２枚の支持シートを挟み込んで該２枚の支持シートと接着され、
前記２枚の支持シートは、前記音声情報記録／再生手段に対向する領域については、その一部の領域のみにて前記音声情報記録／再生手段を表裏から挟み込んでいることを特徴とする音声メッセージ伝達シート。
【請求項２】
請求項１に記載の音声メッセージ伝達シートにおいて、
前記２枚の支持シートは、前記表面シートと同一外形形状を具備することを特徴とする音声メッセージ伝達シート。
【請求項３】
請求項１または請求項２に記載の音声メッセージ伝達シートにおいて、
前記２枚の支持シートはそれぞれ、複数に分割されていることを特徴とする音声メッセージ伝達シート。
【請求項４】
請求項１乃至３のいずれか１項に記載の音声メッセージ伝達シートにおいて、
前記２枚の支持シートは、折り線を介して互いに連接された構成であることを特徴とする音声メッセージ伝達シート。
【請求項５】
請求項１乃至４のいずれか１項に記載の音声メッセージ伝達シートにおいて、
前記音声情報記録／再生手段は、
柔軟性を具備し、記録された音声情報が出力される音声情報出力手段と、
前記音声情報が記録される音声情報記録手段と、該音声情報記録手段に記録された音声情報を前記音声情報出力手段から出力する場合に操作するための操作手段とが搭載された柔軟性を具備する音声基板と、
前記音声基板に電源を供給するためのペーパー電池とを有し、
前記音声情報出力手段は、
前記音声情報が出力されるピエゾ素子と、
前記ピエゾ素子よりも大きな径を具備し、該ピエゾ素子の一方の面に貼付されたフィルムシートと、
前記ピエゾ素子の径よりも大きく、かつ前記フィルムシートの径よりも小さな径の穴を具備し、前記穴に前記ピエゾ素子が入り込むように前記フィルムシートに貼付された振動板とを有し、
前記振動板は、前記フィルムシートとの接着面のうち該フィルムシートと接着されていない領域のみにて前記支持シートに接着されていることを特徴とする音声メッセージ伝達シート。
【請求項６】
請求項５に記載の音声メッセージ伝達シートにおいて、
前記音声情報出力手段が複数設けられ、該複数の音声情報出力手段のそれぞれから互いに異なる音声情報が出力されることを特徴とする音声メッセージ伝達シート。
【請求項７】
請求項５または請求項６に記載の音声メッセージ伝達シートにおいて、
前記２枚の支持シートは、前記操作手段の周囲にて前記音声情報記録／再生手段を挟み込み、前記操作手段が設けられた領域は、１枚の支持シート上に前記音声情報記録／再生手段が搭載されていることを特徴とする音声メッセージ伝達シート。
【請求項８】
請求項１乃至７のいずれか１項に記載の音声メッセージ伝達シートにおいて、
前記２枚の表面シートのうち、少なくとも一方の表面シートの前記支持シートに対向しない面上にインク受理層が積層されていることを特徴とする音声メッセージ伝達シート。
【請求項９】
請求項８に記載の音声メッセージ伝達シートの製造方法であって、
前記表面シート上に前記インク受理層を積層する工程と、
前記音声情報記録／再生手段を挟み込んで互いに接着された前記２枚の支持シートを前記２枚の表面シートで挟み込んで接着する工程とを有する音声メッセージ伝達シートの製造方法。
【請求項１０】
請求項９に記載の音声メッセージ伝達シートの製造方法において、
前記支持シートに接着された前記表面シートのうち前記インク受理層が積層された表面シート上にインクジェット記録装置にて情報を印刷する工程を有することを特徴とする音声メッセージ伝達シートの製造方法。
【発明の詳細な説明】
【技術分野】
【０００１】
本発明は、音声情報を記録、再生可能な音声情報記録／再生手段が組み込まれてなる音声メッセージ伝達シート及びその製造方法に関する。
【背景技術】
【０００２】
従来より、ダイレクトメールやグリーティングカード等の送付物においては、発送元において、発送される送付物が作成されるとともに送付物の発送先が指定され、その後、作成された送付物が指定された発送先に送付されている。このように作成、発送される送付物は、発送元から発送先に通知したい情報が掲載された印刷物が封筒に封入されて構成されるものや、発送元から発送先に通知したい情報がはがき等のシートに印刷されて構成されるもの等がある。
【０００３】
送付物の発送先においては、送付されてきた送付物が受け取られた後、送付物に印刷された情報が閲覧されることにより、送付物の発送元にて通知したい情報が認識されることになる。
【０００４】
ところが、このように、送付物の発送元にて発送先に通知したい情報が印刷された送付物が発送元から送付され、送付物の発送先において送付されてきた送付物に印刷された情報が閲覧されることにより、送付物の発送元にて通知したい情報が発送先に伝達されるものにおいては、送付物の発送元における所望のメッセージを、視覚的にしか発送先に伝達することができず、それにより、伝達可能な情報の種類が限定されてしまう。
【０００５】
そこで、ダイレクトメールに、音声情報の記録及び再生が可能な音声装置を組み込み、それにより、メッセージを音声によって伝達することができるように構成された情報所持体が考えられている。
【０００６】
図１４は、ダイレクトメールに、音声情報の記録及び再生が可能な音声装置が組み込まれてなる情報所持体の一構成例を示す図であり、（ａ）は表面から見た図、（ｂ）は（ａ）に示したＡ−Ａ’断面図である。
【０００７】
本従来例は図１４に示すように、宛先情報等が印刷された表示部５０２を有するダイレクトメール本体５０１ａに、音声情報の記録及び再生が可能な音声装置５０３が組み込まれて構成されている。また、この音声装置５０３は、台紙５０３ａ上に、音声情報を記録するためのＩＣメモリ５１２及び電源電池５１１が搭載されたＰＣボード５０７と、ＩＣメモリ５１２に記録された音声情報が出力されるスピーカー５０９と、ＩＣメモリ５１２に記録された音声情報をスピーカー５０９から出力する際に操作するためのスイッチ５０８とが搭載されて構成されており、スイッチ５０８及びスピーカー５０９が露出するような穴を有する被覆体５１３で覆われた状態でダイレクトメール本体５０１ａに貼付されている。
【０００８】
上記のように構成されたダイレクトメール５０１においては、表示部５０２に宛先情報等が印刷されるとともに、音声装置５０３に音声情報が記録され、その後、音声情報が記録された音声装置５０３がダイレクトメール本体５０１ａに貼付され、発送先に送付される。ダイレクトメール５０１の発送先においては、ダイレクトメール５０１が受け取られた後、スイッチ５０８が操作されると、音声装置５０３に記録された音声情報がスピーカー５０９を介して出力されることになる（例えば、特許文献１参照。）。
【特許文献１】特開平１１−７０７７０号公報
【発明の開示】
【発明が解決しようとする課題】
【０００９】
しかしながら、上述したような音声装置が組み込まれてなる情報所持体においては、宛先情報等が印刷されるダイレクトメール本体上に音声装置が搭載、貼付されてなる構成であるため、音声装置が貼付された領域の厚さが厚くなり、音声装置が組み込まれた状態で宛先情報等を印刷することができないという問題点がある。そのため、上述したような情報所持体においては、ダイレクトメール本体に宛先情報等が印刷された後に音声装置がダイレクトメール本体に搭載、貼付されている。
【００１０】
また、ダイレクトメール本体上に音声装置が搭載、貼付され、かつ、その領域の厚さが厚くなっているため、ダイレクトメールが折り曲げられたり、この領域に外力が加わったりした場合に音声装置がダイレクトメール本体から剥がれてしまう虞れがある。また、ダイレクトメールを二つ折りやＺ折り等に折り畳む場合、音声装置が搭載された領域を避けて折り畳まなければならず、音声装置が搭載される領域あるいは折り畳む際の折り線となる領域が限定されてしまうという問題点がある。
【００１１】
本発明は、上述したような従来の技術が有する問題点に鑑みてなされたものであって、折り曲げや折り畳みが可能であり、かつ、情報を印刷することができる音声メッセージ伝達シート及びその製造方法を提供することを目的とする。
【課題を解決するための手段】
【００１２】
上記目的を達成するために本発明は、
音声情報を記録、再生可能な音声情報記録／再生手段が２枚の表面シート間に組み込まれてなる音声メッセージ伝達シートであって、
前記音声情報記録／再生手段はシート状に構成され、
前記音声情報記録／再生手段を表裏から挟み込んで互いに接着された２枚の支持シートを有し、
前記２枚の表面シートは、前記音声情報記録／再生手段を挟み込んで接着された前記２枚の支持シートを挟み込んで該２枚の支持シートと接着され、
前記２枚の支持シートは、前記音声情報記録／再生手段に対向する領域については、その一部の領域のみにて前記音声情報記録／再生手段を表裏から挟み込んでいることを特徴とする。
【００１３】
また、前記２枚の支持シートは、前記表面シートと同一外形形状を具備することを特徴とする。
【００１４】
また、前記２枚の支持シートはそれぞれ、複数に分割されていることを特徴とする。
【００１５】
また、前記２枚の支持シートは、折り線を介して互いに連接された構成であることを特徴とする。
【００１６】
また、前記音声情報記録／再生手段は、
柔軟性を具備し、記録された音声情報が出力される音声情報出力手段と、
前記音声情報が記録される音声情報記録手段と、該音声情報記録手段に記録された音声情報を前記音声情報出力手段から出力する場合に操作するための操作手段とが搭載された柔軟性を具備する音声基板と、
前記音声基板に電源を供給するためのペーパー電池とを有し、
前記音声情報出力手段は、
前記音声情報が出力されるピエゾ素子と、
前記ピエゾ素子よりも大きな径を具備し、該ピエゾ素子の一方の面に貼付されたフィルムシートと、
前記ピエゾ素子の径よりも大きく、かつ前記フィルムシートの径よりも小さな径の穴を具備し、前記穴に前記ピエゾ素子が入り込むように前記フィルムシートに貼付された振動板とを有し、
前記振動板は、前記フィルムシートとの接着面のうち該フィルムシートと接着されていない領域のみにて前記支持シートに接着されていることを特徴とする。
【００１７】
また、前記音声情報出力手段が複数設けられ、該複数の音声情報出力手段のそれぞれから互いに異なる音声情報が出力されることを特徴とする。
【００１８】
また、前記２枚の支持シートは、前記操作手段の周囲にて前記音声情報記録／再生手段を挟み込み、前記操作手段が設けられた領域は、１枚の支持シート上に前記音声情報記録／再生手段が搭載されていることを特徴とする。
【００１９】
また、前記２枚の表面シートのうち、少なくとも一方の表面シートの前記支持シートに対向しない面上にインク受理層が積層されていることを特徴とする。
【００２０】
また、前記音声メッセージ伝達シートの製造方法であって、
前記表面シート上に前記インク受理層を積層する工程と、
前記音声情報記録／再生手段を挟み込んで互いに接着された前記２枚の支持シートを前記２枚の表面シートで挟み込んで接着する工程とを有する。
【００２１】
また、前記支持シートに接着された前記表面シートのうち前記インク受理層が積層された表面シート上にインクジェット記録装置にて情報を印刷する工程を有することを特徴とする。
【００２２】
上記のように構成された本発明においては、音声情報を記録、再生可能な音声情報記録／再生手段がシート状に構成され、この音声情報記録／再生手段が２枚の支持シートに挟み込まれ、さらにこれらが２枚の表面シートに挟み込まれて構成されているので、折り曲げや折り畳みが可能となり、さらに、２枚の支持シートのうち、音声情報記録／再生手段に対向する領域においては、その一部の領域のみにて音声情報記録／再生手段が表裏から挟み込まれているので、音声情報記録／再生手段が内部に組み込まれながらも、音声情報記録／再生手段が組み込まれた領域とその他の領域との厚さの差が小さくなり、表面シートへの印刷が可能となる。
【００２３】
また、２枚の支持シートの外形形状を表面シートの外形形状と等しくすれば、音声メッセージ伝達シート全体の厚さをほぼ均一にすることができる。
【００２４】
また、２枚の支持シートをそれぞれ複数に分割すれば、音声メッセージ伝達シートの折り曲げ及び折り畳みの自由度が高まる。
【００２５】
また、２枚の支持シートを、折り線を介して互いに連接された構成とすれば、２枚の支持シートの位置合わせを容易に行うことができるようになる。
【００２６】
また、音声情報記録／再生手段に設けられ、音声情報を出力するための音声情報出力手段を、音声情報が出力されるピエゾ素子と、ピエゾ素子よりも大きな径を具備し、該ピエゾ素子の一方の面に貼付されたフィルムシートと、ピエゾ素子の径よりも大きく、かつフィルムシートの径よりも小さな径の穴を具備し、穴にピエゾ素子が入り込むようにフィルムシートに貼付された振動板とから構成し、振動板を、フィルムシートとの接着面のうちフィルムシートと接着されていない領域のみにて支持シートに接着すれば、音声情報出力手段が設けられた領域の厚さが厚くなってしまうことがなくなるとともに、音声情報出力手段が表面シートに接着されずに固定されることになるため、ピエゾ素子及び振動板の振動が妨げられることがなくなる。
【００２７】
また、２枚の支持シートが、操作手段の周囲にて音声情報記録／再生手段を挟み込み、操作手段が設けられた領域が、１枚の支持シート上に音声情報記録／再生手段が搭載されている構成とすれば、操作手段の高さを支持シートの厚さよりも低いものとすれば、操作手段は、操作手段の高さよりも厚い支持シートに周辺を囲まれたような状態となり、それにより、外部から不可抗力が加わった場合に操作手段が操作されてしまうことが回避されるようになる。
【００２８】
また、２枚の表面シートのうち、少なくとも一方の表面シートの支持シートに対向しない面上にインク受理層を積層しておけば、その後、インクジェット記録装置によって表面シート上に情報を印刷した場合、表面シート上に情報が鮮明に印刷されることになる。
【００２９】
また、このインク受理層を、音声情報記録／再生手段が挟み込まれた支持シートを表面シートによって挟み込む前に表面シート上に積層すれば、表面シートの平坦性が優れた状態でインク受理層を積層することができ、また、表面シートが連続紙状のものから断裁されて単片状となるものである場合は、連続紙状の表面シート上にインク受理層を積層することになり、容易にインク受理層を積層することができる。
【発明の効果】
【００３０】
以上説明したように本発明においては、音声情報を記録、再生可能な音声情報記録／再生手段がシート状に構成され、かつ、音声情報記録／再生手段を表裏から挟み込んで互いに接着された２枚の支持シートが、音声情報記録／再生手段に対向する領域については、その一部の領域のみにて音声情報記録／再生手段を表裏から挟み込んでいる構成としたため、折り曲げや折り畳みが可能であり、かつ、表面シートに情報を印刷することができる。
【００３１】
また、２枚の支持シートが表面シートと同一外形形状を具備するものにおいては、音声メッセージ伝達シート全体の厚さをほぼ均一にすることができる。
【００３２】
また、２枚の支持シートがそれぞれ複数に分割されているものにおいては、音声メッセージ伝達シートの折り曲げたり折り畳んだりすることの自由度を高めることができる。
【００３３】
また、２枚の支持シートが、折り線を介して互いに連接された構成であるものにおいては、２枚の支持シートの位置合わせを容易に行うことができる。
【００３４】
また、音声情報記録／再生手段に設けられ、音声情報を出力するための音声情報出力手段を、音声情報が出力されるピエゾ素子と、ピエゾ素子よりも大きな径を具備し、該ピエゾ素子の一方の面に貼付されたフィルムシートと、ピエゾ素子の径よりも大きく、かつフィルムシートの径よりも小さな径の穴を具備し、穴にピエゾ素子が入り込むようにフィルムシートに貼付された振動板とから構成し、振動板が、フィルムシートとの接着面のうちフィルムシートと接着されていない領域のみにて支持シートに接着されている構成としたものにおいては、音声情報出力手段が設けられた領域の厚さが厚くなってしまうことがなくなるとともに、音声情報出力手段が表面シートに接着されずに固定されることになるため、ピエゾ素子及び振動板の振動が妨げられることがなくなる。
【００３５】
また、２枚の支持シートが、操作手段の周囲にて音声情報記録／再生手段を挟み込み、操作手段が設けられた領域が、１枚の支持シート上に音声情報記録／再生手段が搭載されている構成としたものにおいては、操作手段の高さを支持シートの厚さよりも低いものとすれば、操作手段は、操作手段の高さよりも厚い支持シートに周辺を囲まれたような状態となり、それにより、外部から不可抗力が加わった場合に操作手段が操作されてしまうことを回避することができる。
【００３６】
また、２枚の表面シートのうち、少なくとも一方の表面シートの支持シートに対向しない面上にインク受理層が積層されているものにおいては、その後、インクジェット記録装置によって表面シート上に情報を印刷した場合、表面シート上に情報を鮮明に印刷することができる。
【００３７】
また、このインク受理層を、音声情報記録／再生手段が挟み込まれた支持シートを表面シートによって挟み込む前に表面シート上に積層するものにおいては、表面シートの平坦性が優れた状態でインク受理層を積層することができ、また、表面シートが連続紙状のものから断裁されて単片状となるものである場合は、連続紙状の表面シート上にインク受理層を積層することになり、容易にインク受理層を積層することができる。
【発明を実施するための最良の形態】
【００３８】
以下に、本発明の実施の形態について図面を参照して説明する。
【００３９】
（第１の実施の形態）
図１は、本発明の音声メッセージ伝達シートの第１の実施の形態を示す図であり、（ａ）は表面から見た図、（ｂ）は内部構造を示す図、（ｃ）は（ａ）に示したＡ−Ａ’断面図である。また、図２は、図１に示した音声メッセージ伝達シート１の積層状態を示す図である。
【００４０】
本形態は図１及び図２に示すように、音声情報を記録、再生可能なシート状の音声情報記録／再生部３０が、紙基材等の柔軟性を有し、かつ薄型の基材からなる２枚の支持シート２０ａ，２０ｂに挟まれ、また、音声情報記録／再生部３０が挟まれた支持シート２０ａ，２０ｂが、その外形が支持シート２０ａ，２０ｂと同一形状であって、紙基材等の柔軟性を有し、かつ薄型の基材からなる２枚の表面シート１０ａ，１０ｂに挟まれて構成されている。なお、表面シート１０ａ，１０ｂ、支持シート２０ａ，２０ｂ及び音声情報記録／再生部３０は、支持シート２０ａ，２０ｂの表裏に施された粘着加工によって互いに接着されている。この粘着加工は、支持シート２０ａ，２０ｂの表裏に両面テープを貼付することや、ホットメルト型接着剤を塗布すること等によって行うことが考えられる。
【００４１】
また、音声情報記録／再生部３０は、ピエゾ素子４１、振動板４２及び後述するフィルムシートからなりシート状に構成されて記録された音声情報が出力される音声情報出力部４０と、音声情報が記録される音声情報記録手段である薄型のＩＣチップ３４及びＩＣチップ３４に記録された音声情報を音声情報出力部４０から出力する際に操作するための操作手段である薄型のスイッチ３３とが搭載された音声基板３２と、音声基板３２に接続され、音声基板３２に電源を供給するための柔軟性を有してなるペーパー電池３１とから構成されており、さらに、音声基板３２には、外部からＩＣチップ３４に音声情報を入力するための接続端子３５が設けられている。これにより、音声情報記録／再生部３０は、シート状に構成されている。ここで、音声基板３２においては、柔軟性を有し、かつ薄型の繊維強化プラスチック（ＦＲＰ）やポリエチレンテレフタレート（ＰＥＴ）、ポリイミドあるいはリードフレーム等からなる基板に、異方性導電性接着剤（ＡＣＰ）や異方性導電性フィルム（ＡＣＦ）あるいはワイヤボンディング等によってＩＣチップ３２が接合されている。
【００４２】
また、支持シート２０ａにおいては、音声情報記録／再生部３０と積層された場合に、ペーパー電池３１、スイッチ３３、ＩＣチップ３４及び音声情報出力部４０と対向する領域に穴２１ａ，２２，２３，２４ａがそれぞれ形成されており、また、支持シート２０ｂにおいては、音声情報記録／再生部３０と積層された場合に、ペーパー電池３１及び音声情報出力部４０と対向する領域に穴２１ｂ，２４ｂがそれぞれ形成されている。
【００４３】
このように、支持シート２０ａの、ペーパー電池３１、スイッチ３３、ＩＣチップ３４及び音声情報出力部４０と対向する領域に穴２１ａ，２２，２３，２４ａがそれぞれ形成され、また、支持シート２０ｂの、ペーパー電池３１及び音声情報出力部４０と対向する領域に穴２１ｂ，２４ｂがそれぞれ形成されることにより、ペーパー電池３１、スイッチ３３、ＩＣチップ３４及び音声情報出力部４０が設けられている領域と他の領域とで厚さの差が小さくなり、それにより、表面シート１０ａ，１０ｂの平坦性が向上し、表面シート１０ａ，１０ｂ上に情報を容易に印刷することができるようになる。さらには、音声情報記録／再生部３０の最も厚い部分の厚さに対して、支持シート２０ａ，２０ｂの厚さを合計した厚さを同等、若しくは厚くすることにより、表面シート１０ａ，１０ｂをほぼ平坦な状態とすることができる。この場合、音声情報記録／再生部３０の薄い部分、例えば音声基板３２の部分を支持シート２０ａ，２０ｂにより挟み込むことによって音声基板３２が固定される。なお、ペーパー電池３１部分は、音声基板３２と連接した状態であるため、支持シート２０ａ，２０ｂにより挟み込まなくてもよい。また、表面シート１０ａ，１０ｂは、支持シート２０ａ，２０ｂに貼り付けられているため、音声情報記録／再生部３０に凹凸があった場合でも、押し付けることにより凹むことはあったとしても、インクジェット方式のような押しつける力がないものであれば平坦な状態を保持できるため印字も可能となる。
【００４４】
図３は、図１及び図２に示した支持シート２０ａ，２０ｂと音声情報記録／再生部３０とを積層した状態を示す図であり、（ａ）は支持シート２０ａと音声情報記録／再生部３０とを積層した状態を示す図、（ｂ）は支持シート２０ｂと音声情報記録／再生部３０とを積層した状態を示す図である。
【００４５】
図３（ａ）に示すように、支持シート２０ａのペーパー電池３１と対向する領域に形成された穴２１ａはペーパー電池３１よりも小さく、また、スイッチ３３と対向する領域に形成された穴２２はスイッチ３３よりも大きく、また、ＩＣチップ３４と対向する領域に形成された穴２３はＩＣチップ３４よりも大きく、また、音声情報出力部４０と対向する領域に形成された穴２４ａは音声情報出力部４０よりも大きくなっている。
【００４６】
また、図３（ｂ）に示すように、支持シート２０ｂのペーパー電池３１と対向する領域に形成された穴２１ｂはペーパー電池３１よりも小さく、また、音声情報出力部４０と対向する領域に形成された穴２４ｂは音声情報出力部４０よりも小さくなっている。
【００４７】
これにより、音声情報記録／再生部３０は、２枚の支持シート２０ａ，２０ｂによって一部のみが表裏から挟み込まれるように積層され、支持シート２０ａ，２０ｂの表裏に施された粘着加工によって固定されている。
【００４８】
また、２枚の表面シート１０ａ，１０ｂのうち、支持シート２０ａの穴２２，２３を介してスイッチ３３及びＩＣチップ３４と対向する側の表面シート１０ａにおいては、この音声メッセージ伝達シート１を郵送する場合に宛先情報等が印刷される情報表示領域２が設けられているとともに、支持シート２０ａの穴２２を介してスイッチ３３と対向する領域にはスイッチ３３を操作するための再生ボタン３が印刷され、また、支持シート２０ａの穴２４ａを介して音声情報出力部４０と対向する領域には、音声情報出力部４０から出力された音声を外部に出力するための微細な穴が羅列されてなる音声出力領域４が形成されている。このように微細な穴が羅列されてなる音声出力領域４が形成されているため、音声情報出力部４０が表裏を表面シート１０ａ，１０ｂで覆われた状態であっても、音声情報出力部４０から出力される音量の低下を補うことができる。なお、音声出力領域４においては、例えば、レーザ加工によって、０．１ｍｍ径の穴が縦横１．５ｍｍ間隔で形成されている。そのため、抜き加工や針等によって穴を形成する場合と比べてバリが発生せず、その後そのバリによって穴が塞がれてしまうことはない。また、図１においては、情報表示領域２が音声出力領域４上に設けられていないが、実際は、表面シート１０ａの全面に再生ボタン３を含めて情報が印刷されることになるため、情報表示領域２が音声出力領域４上に設けられることも考えられる。また、再生ボタン３においては、印刷によって表面シート１０ａ上に設けておかず、表面シート１０ａに情報が印刷された後に、スイッチ３３に対向する領域にシールを貼付することによって設けることも考えられる。
【００４９】
ここで、上記のように構成された音声メッセージ伝達シート１においては、上述したように、音声情報記録／再生部３０が、２枚の支持シート２０ａ，２０ｂによってその一部のみが表裏から挟み込まれるように積層され、支持シート２０ａ，２０ｂの表裏に施された粘着加工によって固定されるが、支持シート２０ａ，２０ｂには、音声情報記録／再生部３０のペーパー電池３１、スイッチ３３、ＩＣチップ３４及び音声情報出力部４０と対向する領域に穴２１ａ，２１ｂ，２２，２３，２４ａ，２４ｂがそれぞれ形成されているため、支持シート２０ａ，２０ｂと音声情報記録／再生部３０とを積層する際、支持シート２０ａに形成された穴２１ａ，２２，２３，２４ａと、支持シート２０ｂに形成された穴２１ｂ，２４ｂとの位置合わせを正確に行う必要がある。
【００５０】
そこで、支持シート２０ａ，２０ｂを、１枚のシートから構成しておき、この１枚のシートを折り畳むことにより２枚の支持シート２０ａ，２０ｂを構成し、それにより、支持シート２０ａに形成された穴２１ａ，２２，２３，２４ａと、支持シート２０ｂに形成された穴２１ｂ，２４ｂとの位置合わせを正確に行うことが考えられる。
【００５１】
図４は、図１及び図２に示した２枚の支持シート２０ａ，２０ｂを１枚のシートから構成した場合の一例を示す図であり、（ａ）はその構成を示す図、（ｂ）は（ａ）に示した折り線２５を介して折り畳む際の状態を示す図である。
【００５２】
図４に示すように、図１及び図２に示した２枚の支持シート２０ａ，２０ｂを、ハーフカット加工等が施された折り線２５を介して互いに連接された構成とし、この２枚の支持シート２０ａ，２０ｂの間に音声情報記録／再生部３０を挟み込むように支持シート２０ａ，２０ｂを折り線２５を介して折り畳み、支持シート２０ａ，２０ｂの両面に施された粘着加工によって音声情報記録／再生部３０を固定する。これにより、支持シート２０ａに形成された穴２１ａ，２２，２３，２４ａと、支持シート２０ｂに形成された穴２１ｂ，２４ｂとの位置合わせが正確に行われることになる。
【００５３】
以下に、音声情報出力部４０の構成について詳細に説明する。
【００５４】
図５は、図１に示した音声情報出力部４０の構成を説明するための図であり、図１に示した音声メッセージ伝達シート１の音声情報出力部４０周辺の断面図である。
【００５５】
本形態における音声情報出力部４０は図５に示すように、柔軟性を有し、ＩＣチップ３４に記録された音声情報が出力されるピエゾ素子４１と、柔軟性を有し、ピエゾ素子４１の一方の面に貼付されたフィルムシート４３と、フィルムシート４３に貼付され、柔軟性を有し、ピエゾ素子４１の振動を増幅させるためのスチレンペーパー等からなる振動板４２とから構成されている。ここで、フィルムシート４３の径は、ピエゾ素子４１の径よりも大きく構成されており、それにより、ピエゾ素子４１をフィルムシート４３に貼付すると、フィルムシート４３のピエゾ素子４１が貼付された面においては、ピエゾ素子４１が貼付されずに露出した領域がピエゾ素子４１周辺に残る。また、振動板４２は、ピエゾ素子４１の径よりも大きく、かつフィルムシート４３の径よりも小さな径の穴を有する構成となっており、それにより、フィルムシート４３のピエゾ素子４１が貼付された面に対して、この穴にピエゾ素子４１が入り込むように振動板４２をフィルムシート４３のみに貼付することができる。そして、この振動板４２は、フィルムシート４３が貼付された面のうちフィルムシート４３が貼付されていない領域のみにて、支持シート２０ｂの両面に施された粘着加工によって支持シート２０ｂと接着されている。これにより、音声情報出力部４０が設けられた領域の厚さが厚くなってしまうことがなくなるとともに、音声情報出力部４０が表面シート１０ａ、１０ｂに接着されずに固定されることになるため、ピエゾ素子４１及び振動板４２の振動が妨げられることがなくなる。また、振動板４２の大きさを、例えば、一辺の長さが、ピエゾ素子４１の径の２．８倍とすることで、ピエゾ素子４１から出力される音声情報の最大音量効果を得ることができる。また、このように構成された音声情報出力部４０は、音声情報を入力するためのマイクとしても機能させることができ、その場合、音声基板３２に、音声情報出力部４０を介して音声情報を入力するためのスイッチ（不図示）を設ける必要がある。また、ピエゾ素子４１としては例えば、直径が２７ｍｍ、厚さが０．１６ｍｍの、ＰＺＴ−ＰＭＮ系（チタン酸ジルコン酸鉛＋マグネシウム酸鉛）材料を用いることが考えられる。
【００５６】
以下に、スイッチ３３周辺の構造について詳細に説明する。
【００５７】
図６は、図１に示した音声メッセージ伝達シート１のスイッチ３３周辺の断面図である。
【００５８】
図１に示したスイッチ３３は柔軟性を有するものである。また、図６に示すように、スイッチ３３が搭載された領域の支持シート２０ａ，２０ｂにおいては、支持シート２０ａのみがスイッチ３３と対向する領域に穴２２が形成されているため、スイッチ３３周辺においては、２枚の支持シート２０ａ，２０ｂによって音声基板３２が挟み込まれて固定されている一方、音声基板３２のスイッチ３３が搭載された領域においては、１枚の支持シート２０ｂ上に音声基板３２が搭載されて支持シート２０ｂの両面に施された粘着加工によって固定された構成となっている。ここで、スイッチ３３の高さを支持シート２０ａの厚さよりも低いものとすれば、スイッチ３３は、スイッチ３３の高さよりも厚い支持シート２０ａに周辺を囲まれたような状態となり、それにより、外部から不可抗力が加わった場合にスイッチ３３が操作されてしまうことが回避されるようになる。これにより、音声メッセージ伝達シートが、例えば、郵便番号による宛先振り分け装置（郵便区分機）を通過する際等、搬送されている状態にて再生ボタン３が押下されてしまい、ペーパー電池３１が無駄に消耗してしまったり、ＩＣチップ３４に記録された音声情報が上書きされて消去されてしまったりすることを回避することができるようになる。
【００５９】
以下に、上述した音声メッセージ伝達シート１に対する音声情報の記録方法について説明する。
【００６０】
上述したように、音声情報出力部４０を介してＩＣチップ３４に音声情報を記録することも考えられるが、その場合、音声情報にノイズが混入してしまい、ＩＣチップ３４に記録される音質が著しく劣化してしまう。そこで、音声基板３２に設けられた接続端子３５を音声入力源に接続し、接続端子３５を介して音声情報をＩＣチップ３４に記録するように構成することにより、ノイズが混入することなく音声情報をＩＣチップ３４に記録することができる。この際、音声基板３２にペーパー電池３１を接続せず、音声基板３２に接続端子３５を介して外部から電源を供給するようにすれば、ＩＣチップ３４に音声情報を記録する際にペーパー電池３１が消耗してしまうことがなくなる。
【００６１】
なお、上述した音声メッセージ伝達シート１においては、はがきサイズとして郵便物として利用することや、カードサイズとして音声入りの名刺やメッセージカードとして利用すること等が考えられる。
【００６２】
（第２の実施の形態）
図７は、本発明の音声メッセージ伝達シートの第２の実施の形態を示す図であり、（ａ）は表面から見た図、（ｂ）は内部構造を示す図、（ｃ）は（ａ）に示したＡ−Ａ’断面図である。
【００６３】
本形態は図７に示すように、第１の実施の形態にて示したものに対して、ＩＣチップ３４に音声情報を記録する際に押下するためのスイッチ３３ｂが音声基板３２上に設けられているとともに、表面シート１０ａのスイッチ３３ｂと対向する領域に録音ボタン３ｂが印刷されている点のみが異なるものである。なお、録音ボタン３ｂについても、再生ボタン３ａと同様に、表面シート１０ａ上に印刷しておくことに限らず、表面シート１０ａに情報が印刷された後に、スイッチ３３ｂに対向する領域にシールを貼付することによって設けることも考えられる。
【００６４】
上記のように構成された音声メッセージ伝達シート１０１においては、ＩＣチップ３４に音声情報を記録する場合、表面シート１０ａに設けられた録音ボタン３ｂを押下しながら、音声情報出力部４０を介して音声情報を入力すると、音声情報出力部４０を介して入力された音声情報がＩＣチップ３４に記録されることになり、その後、表面シート１０ａに設けられた再生ボタン３ａを押下すると、ＩＣチップ３４に記録された音声情報が音声情報出力部４０を介して出力されることになる。
【００６５】
（第３の実施の形態）
図８は、本発明の音声メッセージ伝達シートの第３の実施の形態を示す図であり、（ａ）は表面から見た図、（ｂ）は内部構造を示す図、（ｃ）は（ａ）に示したＡ−Ａ’断面図である。また、図９は、図８に示したＩＣチップ２３４の記録領域を説明するための図である。
【００６６】
本形態は図８に示すように、第１の実施の形態にて示したものに対して、ＩＣチップ２３４に記録された音声情報を再生する際に押下する３つのスイッチ２３３ａ〜２３３ｃが音声基板３２上に設けられているとともに、表面シート１０ａのスイッチ２３３ａ〜２３３ｃと対向する領域に３つの再生ボタン２０３ａ〜２０３ｃが印刷されている。また、図９に示すように、ＩＣチップ２３４においては、音声情報が記録される記録領域が３つの領域２３４ａ〜２３４ｃに分割されており、それぞれの領域２３４ａ〜２３４ｃに異なる音声情報が記録されている。
【００６７】
上記のように構成された音声メッセージ伝達シート２０１においては、３つの再生ボタン２０３ａ〜２０３ｃのうち、例えば、再生ボタン２０３ａが押下された場合、ＩＣチップ２３４に記録された音声情報のうち、ＩＣチップ２３４の記録領域２３４ａに記録された音声情報が音声情報出力部４０から出力され、また、再生ボタン２０３ｂが押下された場合、ＩＣチップ２３４に記録された音声情報のうち、ＩＣチップ２３４の記録領域２３４ｂに記録された音声情報が音声情報出力部４０から出力され、また、再生ボタン２０３ｃが押下された場合、ＩＣチップ２３４に記録された音声情報のうち、ＩＣチップ２３４の記録領域２３４ｃに記録された音声情報が音声情報出力部４０から出力される。
【００６８】
このように、１つのＩＣチップ２３４内に複数の音声情報を記録しておき、表面シート１０ａに設けられた複数の再生ボタン２０３ａ〜２０３ｃを選択的に押下することにより、ＩＣチップ２３４に記録された複数の音声情報を音声情報出力部４０から選択的に出力することができる。
【００６９】
なお、本形態においては、３つの再生ボタン２０３ａ〜２０３ｃ及びスイッチ２３３ａ〜２３３ｃが設けられ、また、ＩＣチップ２３４内の情報記録領域が３つの領域２３４ａ〜２３４ｃに分割されているが、再生ボタン及びスイッチの数、並びに、ＩＣチップ内の情報記録領域の分割数については、３つに限定しない。
【００７０】
（第４の実施の形態）
図１０は、本発明の音声メッセージ伝達シートの第４の実施の形態を示す図であり、（ａ）は表面から見た図、（ｂ）は内部構造を示す図、（ｃ）は（ａ）に示したＡ−Ａ’断面図である。
【００７１】
本形態は図１０に示すように、第１の実施の形態にて示したものに対して、２つの音声情報出力部３４０ａ，３４０ｂが音声情報記録／再生部３３０に設けられ、表面シート３１０ａにおいては、この音声情報出力部３４０ａ，３４０ｂから音声情報が出力されるための音声出力領域３０４ａ，３０４ｂが折り線３０５ａ，３０５ｂを介して設けられて構成されている。また、支持シート３２０ａ，３２０ｂにおいては、表面シート３１０ａの折り線３０５ａ，３０５ｂを介して隣接する３つの領域毎にそれぞれ対向するように３つに分割されており、これにより、音声出力領域３０４ａ，３０４ｂが折り線３０５ａ，３０５ｂを介して折り畳み可能に構成されている。なお、情報表示領域２においては、折り線３０５ａ，３０５ｂを介して隣接する３つの領域に渡って設けられている。
【００７２】
上記のように構成された音声メッセージ伝達シート３０１においては、ＩＣチップ３４に記録された音声情報が２つの音声情報出力部３４０ａ，３４０ｂから出力されるため、第１の実施の形態に示したものに対して出力される音声情報の音量を大きくすることができる。なお、この際、ＩＣチップ３４に記録された音声情報を出力するものとしてピエゾ素子４１を用いているため、ＩＣチップ３４に記録された音声情報を２つの音声情報出力部３４０ａ，３４０ｂから出力する場合であっても、ペーパー電池３１の寿命が短くなることがない。
【００７３】
また、２つの音声出力領域３０４ａ，３０４ｂが折り線３０５ａ，３０５ｂを介して折り畳み可能に構成されているため、ＩＣチップ３４に記録された音声情報を音声情報出力部３４０ａ，３４０ｂから出力しない場合においては、音声出力領域３０４ａ，３０４ｂを折り線３０５ａ，３０５ｂを介して折り畳んでおくことにより、音声メッセージ伝達シート３０１の携帯性を向上させることができる。例えば、音声出力領域３０４ａ，３０４ｂを折り線３０５ａ，３０５ｂを介して折り畳んだ場合の大きさを名刺サイズとすることにより、音声メッセージ伝達シート３０１を名刺カード入れ等に収納しておくことができる。
【００７４】
また、２つの音声情報出力部３４０ａ，３４０ｂから出力される音声情報を互いに異なるものとすることも考えられる。それにより、音声メッセージ伝達シート３０１の受取人は、ＩＣチップ３４に記録された情報を、例えば、ステレオ放送のように聞くことができる。
【００７５】
なお、本形態においては、２つの音声情報出力部３４０ａ，３４０ｂが設けられているが、音声情報出力部の数は２つに限らない。また、情報表示領域２が折り線３０５ａ，３０５ｂを介して隣接する３つの領域に渡って設けられているが、折り線３０５ａ，３０５ｂを介して隣接する３つの領域のうち一部のみに情報表示領域を設けることも考えられる。
【００７６】
また、本形態においては、１つの音声基板３２に２つの音声情報出力部３４０ａ，３４０ｂが接続されているが、音声情報出力部３４０ａ，３４０ｂ毎に音声基板を設け、その音声基板に設けられたスイッチをそれぞれ操作することによって、音声基板に設けられたＩＣチップに記録された音声情報をそれぞれ出力することも考えられる。
【００７７】
また、本形態においては、支持シート３２０ａ，３２０ｂが、表面シート３１０ａの折り線３０５ａ，３０５ｂを介して隣接する３つの領域毎にそれぞれ対向するように３つに分割されているが、折り線３０５ａ，３０５ｂを介して隣接する３つの領域のそれぞれに対向するように分割された支持シートをさらに複数に分割することも考えられる。そのような構成とすることにより、音声メッセージ伝達シート３０１を折り曲げたり折り畳んだりする際の自由度が高まる。なお、このように支持シートを複数に分割することは、本形態に限らず、上述した第１〜第４の実施の形態、並びに、後述する第５、第６の実施の形態にも適用することができる。
【００７８】
（第５の実施の形態）
図１１は、本発明の音声メッセージ伝達シートの第５の実施の形態を示す図であり、（ａ）は表面から見た図、（ｂ）は内部構造を示す図、（ｃ）は（ａ）に示したＡ−Ａ’断面図である。
【００７９】
本形態は図１１に示すように、第１の実施の形態にて示したものに対して、支持シート４２０ａ，４２０ｂの外形形状が表面シート１０ａ，１０ｂの外形形状よりも小さなものである点のみが異なるものである。
【００８０】
このように、支持シート４２０ａ，４２０ｂの外形形状が表面シート１０ａ，１０ｂの外形形状よりも小さな場合や、支持シート４２０ａ，４２０ｂの外形形状が表面シート１０ａ，１０ｂの外形形状よりも大きな場合であっても、本発明を適用することができる。
【００８１】
（第６の実施の形態）
図１２は、本発明の音声メッセージ伝達シートの第６の実施の形態を示す図であり、（ａ）は表面から見た図、（ｂ）は内部構造を示す図、（ｃ）は（ａ）に示したＡ−Ａ’断面図である。
【００８２】
本形態は図１２に示すように、第１の実施の形態にて示したものに対して、表面シート１０ａの支持シート２０ａと対向しない面上にインク受理層５１１が積層されているものである。
【００８３】
上記のように構成された音声メッセージ伝達シート５０１においては、情報表示領域２が設けられた表面シート１０ａの支持シート２０ａと対向しない面上にインク受理層５１１が積層されているため、その後、情報表示領域２にインクジェット記録装置によって情報を印刷した場合、情報表示領域２に情報を鮮明に印刷することができる。
【００８４】
以下に、上述した音声メッセージ伝達シート５０１の製造方法について説明する。
【００８５】
図１３は、図１２に示した音声メッセージ伝達シート５０１の製造方法を説明するための図である。
【００８６】
まず、表面シート１０ａ上に（図１３（ａ））、インク受理層５１１を積層する（図１３（ｂ））。なお、表面シート１０ａが連続紙状のものから断裁されることにより単片状のものとなる場合は、連続紙状の表面シート１０ａにインク受理層５１１を積層すれば、インク受理層５１１を容易に積層することができる。
【００８７】
次に、インク受理層５１１が積層された表面シート１０ａに、上述したように、レーザ加工によって０．１ｍｍ径の穴を形成することにより音声出力領域４を設ける（図１３（ｃ））。
【００８８】
また、２枚の支持シート２０ａ，２０ｂによって音声情報記録／再生部３０を挟み込んでおく（図１３（ｄ））。
【００８９】
その後、音声情報記録／再生部３０を挟み込んだ支持シート２０ａ，２０ｂを表面シート１０ａ，１０ｂによって挟み込む（図１３（ｅ））。
【００９０】
これにより、表面シート１０ａの表面に情報が印刷されていない音声メッセージ伝達シートが完成し、その後、インクジェット記録装置によって、インク受理層５１１が積層された表面シート１０ａ上に再生ボタン３を印刷するとともに情報表示領域２に情報を印刷する（図１３（ｆ））。
【００９１】
なお、本形態においては、第１の実施の形態に示した音声メッセージ伝達シート１の表面シート１０ａ上にインク受理層５１１を積層する場合を例に挙げて説明したが、音声メッセージ伝達シート１の表面シート１０ｂにもインク受理層５１１を積層することも考えられ、また、上述した第２〜第５の実施の形態に示した音声メッセージ伝達シートの表面シート１０ａのみ、あるいは表面シート１０ａ，１０ｂ上にインク受理層５１１を積層する構成とすることも考えられる。
【図面の簡単な説明】
【００９２】
【図１】本発明の音声メッセージ伝達シートの第１の実施の形態を示す図であり、（ａ）は表面から見た図、（ｂ）は内部構造を示す図、（ｃ）は（ａ）に示したＡ−Ａ’断面図である。
【図２】図１に示した音声メッセージ伝達シートの積層状態を示す図である。
【図３】図１及び図２に示した支持シートと音声情報記録／再生部とを積層した状態を示す図である。
【図４】図１及び図２に示した２枚の支持シートを１枚のシートから構成した場合の一例を示す図であり、（ａ）はその構成を示す図、（ｂ）は（ａ）に示した折り線を介して折り畳む際の状態を示す図である。
【図５】図１に示した音声情報出力部の構成を説明するための図である。
【図６】図１に示した音声メッセージ伝達シートのスイッチ周辺の断面図である。
【図７】本発明の音声メッセージ伝達シートの第２の実施の形態を示す図であり、（ａ）は表面から見た図、（ｂ）は内部構造を示す図、（ｃ）は（ａ）に示したＡ−Ａ’断面図である。
【図８】本発明の音声メッセージ伝達シートの第３の実施の形態を示す図であり、（ａ）は表面から見た図、（ｂ）は内部構造を示す図、（ｃ）は（ａ）に示したＡ−Ａ’断面図である。
【図９】図８に示したＩＣチップの記録領域を説明するための図である。
【図１０】本発明の音声メッセージ伝達シートの第４の実施の形態を示す図であり、（ａ）は表面から見た図、（ｂ）は内部構造を示す図、（ｃ）は（ａ）に示したＡ−Ａ’断面図である。
【図１１】本発明の音声メッセージ伝達シートの第５の実施の形態を示す図であり、（ａ）は表面から見た図、（ｂ）は内部構造を示す図、（ｃ）は（ａ）に示したＡ−Ａ’断面図である。
【図１２】本発明の音声メッセージ伝達シートの第６の実施の形態を示す図であり、（ａ）は表面から見た図、（ｂ）は内部構造を示す図、（ｃ）は（ａ）に示したＡ−Ａ’断面図である。
【図１３】図１２に示した音声メッセージ伝達シートの製造方法を説明するための図である。
【図１４】ダイレクトメールに、音声情報の記録及び再生が可能な音声装置が組み込まれてなる情報所持体の一構成例を示す図であり、（ａ）は表面から見た図、（ｂ）は（ａ）に示したＡ−Ａ’断面図である。
【符号の説明】
【００９３】
１，１０１，２０１，３０１，４０１，５０１    音声メッセージ伝達シート
２    情報表示領域
３，３ａ，２０３ａ〜２０３ｃ    再生ボタン
３ｂ    録音ボタン
４，３０４ａ，３０４ｂ    音声出力領域
１０ａ，１０ｂ    表面シート
２０ａ，２０ｂ，４２０ａ，４２０ｂ    支持シート
２１ａ，２１ｂ，２２，２３，２４ａ，２４ｂ    穴
２５    折り線
３０    音声情報記録／再生部
３１    ペーパー電池
３２    音声基板
３３，３３ａ，３３ｂ，２３３ａ〜２３３ｃ    スイッチ
３４，２３４    ＩＣチップ
３５    接続端子
４０，３４０ａ，３４０ｂ    音声情報出力部
４１    ピエゾ素子
４２    振動板
４３    フィルムシート
３０５ａ，３０５ｂ    折り線
５１１    インク受理層
【図１】
2005099704.tif 000003
【図２】
2005099704.tif 000004
【図３】
2005099704.tif 000005
【図４】
2005099704.tif 000006
【図５】
2005099704.tif 000007
【図６】
2005099704.tif 000008
【図７】
2005099704.tif 000009
【図８】
2005099704.tif 000010
【図９】
2005099704.tif 000011
【図１０】
2005099704.tif 000012
【図１１】
2005099704.tif 000013
【図１２】
2005099704.tif 000014
【図１３】
2005099704.tif 000015
【図１４】
2005099704.tif 000016